【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ワイヤレス通信システム中の利用可能なネットワークに対してスキャンするための方法において、
トランシーバによって受信した信号を使用して、増加した帯域幅に渡って信号分析を実行することと、
前記信号分析に少なくとも部分的に基づいて、候補チャネルを検出することと、
識別したワイヤレスチャネル上で送信されるビーコンから、識別情報を受信することとを含む方法。
【請求項２】
信号分析を実行することは、前記増加した帯域幅に渡って、高速フーリエ変換（ＦＦＴ）サンプルを分析することを含む請求項１記載の方法。
【請求項３】
前記候補チャネルを検出することは、前記ＦＦＴサンプルの信号の大きさが、しきい値を超えているか否かに少なくとも部分的に基づいている請求項２記載の方法。
【請求項４】
信号分析を実行することは、前記増加した帯域幅に渡って、相関動作を実行することをさらに含む請求項２記載の方法。
【請求項５】
相関動作を実行することは、前記増加した帯域幅のサブセット上で相関動作をシーケンシャルに実行することを含む請求項４記載の方法。
【請求項６】
相関動作を実行することは、前記増加した帯域幅のサブセット上でパラレル相関動作を実行することを含む請求項４記載の方法。
【請求項７】
前記パラレル相関動作からの出力を同時にデコードして、前記識別情報を受信することをさらに含む請求項６記載の方法。
【請求項８】
ワイヤレス通信システム中の利用可能なネットワークに対してスキャンするワイヤレス通信デバイスにおいて、
信号を受信するトランシーバと、
前記トランシーバによって受信した信号上の増加した帯域幅に渡って、信号分析を実行する手段と、
前記信号分析に少なくとも部分的に基づいて、候補チャネルを検出する手段と、
識別したワイヤレスチャネル上で送信され、前記トランシーバによって受信されるビーコンから、識別情報を受信する手段とを具備するワイヤレス通信デバイス。
【請求項９】
前記信号分析を実行する手段は、前記増加した帯域幅に渡って、高速フーリエ変換（ＦＦＴ）サンプルを分析する請求項８記載のワイヤレス通信デバイス。
【請求項１０】
前記候補チャネルを検出する手段は、前記ＦＦＴサンプルの信号の大きさが、しきい値を超えているか否かに少なくとも部分的に基づいて検出する請求項９記載のワイヤレス通信デバイス。
【請求項１１】
前記信号分析を実行する手段は、前記増加した帯域幅に渡って、相関動作をさらに実行する請求項９記載のワイヤレス通信デバイス。
【請求項１２】
前記相関動作を実行する手段は、前記増加した帯域幅のサブセット上で相関動作をシーケンシャルに実行する請求項１１記載のワイヤレス通信デバイス。
【請求項１３】
前記相関動作を実行する手段は、前記増加した帯域幅のサブセット上でパラレル相関動作を実行する請求項１１記載のワイヤレス通信デバイス。
【請求項１４】
前記トランシーバにより、前記パラレル相関動作からの出力を同時にデコードして、前記識別情報を受信する手段をさらに具備する請求項１３記載のワイヤレス通信デバイス。
【請求項１５】
請求項１〜７のうちの１つの方法を実行するための命令を備えるコンピュータプログラム。
【手続補正２】
【補正対象書類名】明細書
【補正対象項目名】００６１
【補正方法】変更
【補正の内容】
【００６１】
［００６８］
現在の好ましい実施形態をここで説明した。しかしながら、当業者は、本開示の原理が、適切な改良により、他の用途に容易に拡張することができると理解するだろう。
以下に、本願出願の当初の特許請求の範囲に記載された発明を付記する。
［１］  ワイヤレス通信システム中の利用可能なネットワークに対してスキャンするための方法において、
増加した帯域幅に渡って信号分析を実行することと、
前記信号分析に少なくとも部分的に基づいて、候補チャネルを検出することと、
識別したワイヤレスチャネル上で送信されるビーコンから、識別情報を受信することとを含む方法。
［２］  信号分析を実行することは、前記増加した帯域幅に渡って、高速フーリエ変換（ＦＦＴ）サンプルを分析することを含む［１］記載の方法。
［３］  前記候補チャネルを検出することは、前記ＦＦＴサンプルの信号の大きさが、しきい値を超えているか否かに少なくとも部分的に基づいている［２］記載の方法。
［４］  信号分析を実行することは、前記増加した帯域幅に渡って、相関動作を実行することをさらに含む［２］記載の方法。
［５］  相関動作を実行することは、前記増加した帯域幅のサブセット上で相関動作をシーケンシャルに実行することを含む［４］記載の方法。
［６］  相関動作を実行することは、前記増加した帯域幅のサブセット上でパラレル相関動作を実行することを含む［４］記載の方法。
［７］  前記候補チャネルを検出することは、前記相関動作の有限インパルス応答（ＦＩＲ）電力に少なくとも部分的に基づいている［４］記載の方法。
［８］  前記候補チャネルにスイッチして、前記識別情報を受信することをさらに含む［１］記載の方法。
［９］  前記パラレル相関動作からの出力を同時にデコードして、前記識別情報を受信することをさらに含む［６］記載の方法。
［１０］  前記受信した識別情報に少なくとも部分的に基づいて、利用可能なネットワークのリストを管理することをさらに含む［１］記載の方法。
［１１］  ワイヤレス通信システム中の利用可能なネットワークに対してスキャンするワイヤレス通信デバイスにおいて、
信号を受信するトランシーバと、
増加した帯域幅に渡って信号分析を実行するスキャン制御装置とを具備し、
前記スキャン制御装置は、前記信号分析に少なくとも部分的に基づいて、候補チャネルを検出し、前記トランシーバは、識別したワイヤレスチャネル上で送信されるビーコンから、識別情報を受信するワイヤレス通信デバイス。
［１２］  前記ワイヤレス通信デバイスは、前記増加した帯域幅に渡って、高速フーリエ変換（ＦＦＴ）サンプルを出力するＦＦＴユニットをさらに具備し、前記スキャン制御装置は、前記ＦＦＴサンプルを分析することによって、前記信号分析を実行する［１１］記載のワイヤレス通信デバイス。
［１３］  前記スキャン制御装置は、前記ＦＦＴサンプルの信号の大きさが、しきい値を超えているか否かに少なくとも部分的に基づいて、前記候補チャネルを検出する［１２］記載のワイヤレス通信デバイス。
［１４］  前記ワイヤレス通信デバイスは、パケット検出ユニットをさらに具備し、前記スキャン制御装置は、前記増加した帯域幅に渡って、相関動作を実行することによって、前記信号分析をさらに実行する［１２］記載のワイヤレス通信デバイス。
［１５］  前記パケット検出ユニットは、前記増加した帯域幅のサブセット上で相関動作をシーケンシャルに実行することによって、前記相関動作を実行する［１４］記載のワイヤレス通信デバイス。
［１６］  前記パケット検出ユニットは、前記増加した帯域幅のサブセット上でパラレル相関動作を実行することによって、前記相関動作を実行する［１４］記載のワイヤレス通信デバイス。
［１７］  前記スキャン制御装置は、前記相関動作の有限インパルス応答（ＦＩＲ）電力に少なくとも部分的に基づいて、前記候補チャネルを検出する［１４］記載のワイヤレス通信デバイス。
［１８］  前記スキャン制御装置はさらに、前記トランシーバを前記候補チャネルにスイッチさせて、前記識別情報を受信させる［１１］記載のワイヤレス通信デバイス。
［１９］  前記ワイヤレス通信デバイスは、前記パラレル相関動作からの出力を同時にデコードして、前記識別情報を受信する複数のデコードコアをさらに具備する［１６］記載のワイヤレス通信デバイス。
［２０］  前記スキャン制御装置は、前記受信した識別情報に少なくとも部分的に基づいて、利用可能なネットワークのリストをさらに管理する［１１］記載のワイヤレス通信デバイス。
［２１］  ワイヤレス通信システム中のワイヤレス通信デバイスにより、利用可能なネットワークに対してスキャンするための非一時的プロセッサ読取可能記憶媒体において、
命令をその上に有する前記プロセッサ読取可能記憶媒体は、プロセッサによって実行されるとき、前記ワイヤレス通信デバイスに、
増加した帯域幅に渡って信号分析を実行させ、
前記信号分析に少なくとも部分的に基づいて、候補チャネルを検出させ、
識別したワイヤレスチャネル上で送信されるビーコンから、識別情報を受信させる記憶媒体。
［２２］  前記信号分析を実行させるための命令は、前記増加した帯域幅に渡って、高速フーリエ変換（ＦＦＴ）サンプルを分析させるための命令を含む［２１］記載の記憶媒体。
［２３］  前記候補チャネルを検出させるための命令は、前記ＦＦＴサンプルの信号の大きさが、しきい値を超えているか否かに少なくとも部分的に基づいている［２２］記載の記憶媒体。
［２４］  前記信号分析を実行させるための命令は、前記増加した帯域幅に渡って、相関動作を実行させるための命令をさらに含む［２２］記載の記憶媒体。
［２５］  前記相関動作を実行させるための命令は、前記増加した帯域幅のサブセット上で相関動作をシーケンシャルに実行させるための命令を含む［２４］記載の記憶媒体。
［２６］  前記相関動作を実行させるための命令は、前記増加した帯域幅のサブセット上でパラレル相関動作を実行させるための命令を含む［２４］記載の記憶媒体。
［２７］  前記候補チャネルを検出させるための命令は、前記相関動作の有限インパルス応答（ＦＩＲ）電力に少なくとも部分的に基づいている［２４］記載の記憶媒体。
［２８］  前記候補チャネルにスイッチさせて、前記識別情報を受信させるための命令をさらに含む［２１］記載の記憶媒体。
［２９］  前記パラレル相関動作からの出力を同時にデコードさせて、前記識別情報を受信させるための命令をさらに含む［２６］記載の記憶媒体。
［３０］  前記受信した識別情報に少なくとも部分的に基づいて、利用可能なネットワークのリストを管理させるための命令をさらに含む［１］記載の記憶媒体。
［３１］  ワイヤレス通信システム中の利用可能なネットワークに対してスキャンするワイヤレス通信デバイスにおいて、
信号を受信するトランシーバと、
前記トランシーバによって受信した信号上の増加した帯域幅に渡って、信号分析を実行する手段と、
前記信号分析に少なくとも部分的に基づいて、候補チャネルを検出する手段と、
識別したワイヤレスチャネル上で送信され、前記トランシーバによって受信されるビーコンから、識別情報を受信する手段とを具備するワイヤレス通信デバイス。
［３２］  前記信号分析を実行する手段は、前記増加した帯域幅に渡って、高速フーリエ変換（ＦＦＴ）サンプルを分析する［３１］記載のワイヤレス通信デバイス。
［３３］  前記候補チャネルを検出する手段は、前記ＦＦＴサンプルの信号の大きさが、しきい値を超えているか否かに少なくとも部分的に基づいて検出する［３２］記載のワイヤレス通信デバイス。
［３４］  前記信号分析を実行する手段は、前記増加した帯域幅に渡って、相関動作をさらに実行する［３２］記載のワイヤレス通信デバイス。
［３５］  前記相関動作を実行する手段は、前記増加した帯域幅のサブセット上で相関動作をシーケンシャルに実行する［３４］記載のワイヤレス通信デバイス。
［３６］  前記相関動作を実行する手段は、前記増加した帯域幅のサブセット上でパラレル相関動作を実行する［３４］記載のワイヤレス通信デバイス。
［３７］  前記候補チャネルを検出する手段は、前記相関動作の有限インパルス応答（ＦＩＲ）電力に少なくとも部分的に基づいて検出する［３４］記載のワイヤレス通信デバイス。
［３８］  前記トランシーバを前記候補チャネルにスイッチさせて、前記識別情報を受信させる手段をさらに具備する［３１］記載のワイヤレス通信デバイス。
［３９］  前記トランシーバにより、前記パラレル相関動作からの出力を同時にデコードして、前記識別情報を受信する手段をさらに具備する［３６］記載のワイヤレス通信デバイス。
［４０］  前記受信した識別情報に少なくとも部分的に基づいて、利用可能なネットワークのリストを管理する手段をさらに具備する［３１］記載のワイヤレス通信デバイス。